(57)【特許請求の範囲】
【請求項１】
薬剤成分が含有された薬剤シートを収容する薬剤容器であって、
薬剤シートを挿入可能な挿入口、及び前記薬剤成分を放出するための少なくとも一つの放出口が形成された容器本体と、
前記容器本体の内部に設けられ、前記薬剤シートの一方面側及び他方面側にそれぞれ配置され、当該薬剤シートを挟持する挟持通路を形成する第１及び第２挟持部材と、
を備え、
前記各挟持部材は、前記薬剤シートの進入方向に延びる、少なくとも一つのリブによって形成されている、薬剤容器。
【請求項２】
前記挟持通路に沿って延びる平面と交差し、前記第１挟持部材側から延びる係合壁と、
前記係合壁と対向するように、前記第２挟持部材側から延びる対向壁と、
を有し、
前記係合壁と対向壁との間の隙間が、前記挿入口を構成する、請求項１に記載の薬剤容器。
【請求項３】
前記係合壁の端部に形成され、前記薬剤シートの進入方向に延びる係止片をさらに備えている、請求項２に記載の薬剤容器。
【請求項４】
前記係合壁及び対向壁の少なくとも一方に形成され、前記薬剤シートの進入方向に延びる切り欠き部をさらに備えている、請求項２または３に記載の薬剤容器。
【請求項５】
前記挿入口に挿入された前記薬剤シートを前記挟持通路まで案内するガイド部材をさらに備えている、請求項１から４のいずれかに記載の薬剤容器。
【請求項６】
前記容器本体には、前記薬剤シートとは異なる種類の薬剤を収容する収容部をさらに備えている、請求項１から５のいずれかに記載の薬剤容器。
【発明の詳細な説明】
【技術分野】
【０００１】
本発明は、薬剤成分が含有された薬剤シートを収容する薬剤容器に関する。
【背景技術】
【０００２】
従来より、芳香剤や防虫剤等の薬剤が含浸された薬剤シートを収容する種々の容器が提案されている。例えば、特許文献１には、薬剤シートを収容する容器が開示されている。この容器は、開口が形成された枠体と、この枠体に取り付けられ薬剤シートの背面を覆う蓋体とで構成されており、薬剤シートに含浸された薬剤を開口から放出するようになっている。
【先行技術文献】
【特許文献】
【０００３】
【特許文献１】特開２００８−６８０９８号公報
【発明の開示】
【発明が解決しようとする課題】
【０００４】
ところで、上記特許文献１に記載の薬剤容器は、薬剤シートを交換する際に、枠体から蓋体を取り外して容器を分解する必要があり、交換作業が面倒であるという問題があった。
【０００５】
本発明は、上記問題を解決するためになされたものであり、薬剤シートの交換を容易に行うことができる、薬剤容器を提供することを目的とする。また、本発明は、薬剤シートの交換を容易に行うことができるとともに、薬剤シートの抜け出しが防止された薬剤容器を提供することを目的とする。
【課題を解決するための手段】
【０００６】
本発明は、薬剤成分が含有された薬剤シートを収容する薬剤容器であって、薬剤シートを挿入可能な挿入口、及び前記薬剤成分を放出するための少なくとも一つの放出口が形成された容器本体と、前記容器本体の内部に設けられ、前記薬剤シートの一方面側及び他方面側にそれぞれ配置され、当該薬剤シートを挟持する挟持通路を形成する第１及び第２挟持部材と、を備えている。
【０００７】
この構成によれば、薬剤シートを挿入可能な挿入口と、薬剤シートを挟持する第１及び第２挟持部材を備えているため、薬剤シートを挿入口から挿入して両挟持部材の間の挟持通路まで押し込むだけで、両挟持部材により、薬剤シートを保持することができる。したがって、薬剤シートの装着を容易に行うことができる。また、挿入口から薬剤シートを引っ張り出すだけで、容器本体から薬剤シートを取り出すことができるため、交換も容易に行うことができる。
【０００８】
上記薬剤容器においては、挿入口を次のように構成することができる。例えば、挟持通路に沿って延びる平面と交差するように、第１挟持部材側から延びる係合壁と、係合壁と対向するように、第２挟持部材側から延びる対向壁と、を設け、係合壁と対向壁との間の隙間が、挿入口を構成するように構成することができる。これにより、次の効果を得ることができる。
【０００９】
挿入口から薬剤シートを挿入後、第１及び第２挟持部材により薬剤シートが挟持されると、薬剤シートは、湾曲した状態となる。これは、挿入口を構成する係合壁が、挟持通路に沿って延びる平面と交差するように、第１挟持部材側から延びているためである。すなわち、両挟持部材によって挟持される薬剤シートの挿入口側の端部は、係合壁によって押し上げられる。この状態からさらに薬剤シートを挿入口へ押し込むと、薬剤シートの端部は係合壁を乗り越えるとともに、湾曲状態から元に戻る。これにより、薬剤シートは、挟持通路に沿って延び、挿入口側の端部は係合壁が抜け止めになって、挿入口から抜け出すのが防止される。
【００１０】
ここで、係合壁の端部に薬剤シートの進入方向に延びる係止片をさらに設けることができる。これにより、薬剤シートの挿入口側の端部は、係止片によって係合壁を乗り越えるのを妨げられる。そのため、薬剤シートが挿入口から抜け出すのを確実に防止することができる。
【００１１】
上記薬剤容器においては、係合壁及び対向壁の少なくとも一方に形成され、前薬剤シートの進入方向に延びる切り欠き部をさらに備えることができる。この切り欠き部により、薬剤シートをさらに容器本体の内部側に押し込むことができる。これにより、薬剤シートの端部が係合壁を乗り越えるまで、確実に押し込むことができる。
【００１２】
上記薬剤容器においては、挿入口に挿入された薬剤シートを挟持通路まで案内するガイド部材をさらに設けることができる。これにより、薬剤シートを押し込む際に、挟持部材までスムーズに案内することができ、挟持部材により確実に挟持することができる。このとき、例えば、いずれか一方の挟持部材とガイド部材とを一体化することができ、こうすることで薬剤シートを挟持部材までさらにスムーズに案内することができる。
【００１３】
また、上記薬剤容器において、挟持部材は種々の形態にすることができるが、例えば、各挟持部材を薬剤シートの進入方向に延びる、少なくとも一つのリブによって形成することができる。これにより、容器本体が撓るのを防止することができる。特に、容器本体を樹脂で成形する場合には、薬剤シートから揮散する薬剤の種類によっては樹脂が侵され、容器本体が撓るおそれがあるが、容器本体の内部にリブが設けられることで、撓りを防止することができる。特に、複数のリブを設けると、その効果が大きくなる。
【００１４】
また、容器本体には、薬剤シートとは異なる種類の薬剤を収容する収容部をさらに備えることができる。例えば、薬剤シートに防虫用の薬剤成分を含浸させる一方、収容部には芳香成分を有する薬剤を収容することができる。これにより、複数の効能を一つの薬剤容器で得ることができる。
【発明の効果】
【００１５】
以上のように、本発明に係る薬剤容器によれば、薬剤シートの交換を容易に行うことができる。
【図面の簡単な説明】
【００１６】
【図１】本発明に係る薬剤容器の一実施形態を示す斜視図である。
【図２】図１のＡ−Ａ線断面図である。
【図３】図１の薬剤容器の分解図である。
【図４】芳香剤袋の断面図である。
【図５】図１の薬剤容器の取扱方法を示す斜視図である。
【図６】図１の薬剤容器の取扱方法を示す断面図である。
【発明を実施するための最良の形態】
【００１７】
以下、本発明に係る薬剤容器の一実施形態について図面を参照しつつ説明する。図１は本実施形態に係る薬剤容器の斜視図、図２は図１のＡ−Ａ線断面図、図３は図１の薬剤容器の分解図である。
【００１８】
本実施形態に係る薬剤容器は、２種類の薬剤を収容するものである。すなわち、殺虫成分または忌避成分をシート状の保持体に含浸させた忌避剤シート（薬剤シート）１０と、芳香液を封入した芳香剤袋２０を収容するものである。図１〜図３に示すように、この薬剤容器は、忌避剤シート１０を収容する第１収容室１と、芳香剤袋２０を収容する第２収容室（収容部）２とを有する長方形状の容器本体３を備えている。以下では、図３の左右方向を容器本体３の長手方向、上下方向を幅方向と称することとする。容器本体３は、樹脂で形成され、長方形状の基台３１と、これを覆うドーム状の蓋体３２とで構成されている。そして、基台３１と蓋体３２とは、幅方向の端部に配置された２つのヒンジ３３によって連結されており、図３に示す状態からヒンジ３３を折り曲げて両者３１，３２を嵌め合わせることで、図１のような形態となる。図２に示すように、基台３１の中央には、仕切り壁３４が形成されており、この仕切り壁３４を挟んで第１収容室１(図２の右側)と、第２収容室２(図２の左側)とが形成されている。
【００１９】
まず、第１収容室１から説明する。第１収容室１に収容される忌避剤シート１０は、角が斜めに切り落とされた正方形状に形成されている（図５参照）。忌避剤シート１０は、濾紙、不織布、スポンジ、樹脂プレートなどのシート状又はプレート状の保持体に、殺虫成分や飛翔害虫忌避成分を含有させることで得られる。シート状保持体は、簡便には一層のシート材を用いることができるが、薬剤の揮散性を考慮して、素材、目付等の異なる多層のシート材を用いることもできる。また、忌避剤シート１０は、その保形安定性を考慮して、シート状保持体を、開口を設けたブリスター容器に収容したものとすることもできる。殺虫成分としては、例えば、プロフルトリン、エムペントリン、メトフルトリン、トランスフルトリン、テフルトリン、テラレスリン等のピレスロイド系殺虫成分や、ジクロルボス等の有機リン系殺虫成分を挙げることができる。一方、飛翔害虫忌避成分としては、ジャスミン油、ネロリ油、ペパーミント油、ベルガモット油、オレンジ油、ゼラニウム油、プチグレン油、レモン油、シトロネラ油、レモングラス油、シナモン油、ユーカリ油、タイム油等の精油類、及びその組成成分の中から選ばれる２種以上の精油及び、又はその組成成分を挙げることができる。
【００２０】
続いて、第１収容室１の構造を説明する。第１収容室１は、容器本体３の端部に形成された挿入口１１を有している。この挿入口１１は、基台３１の端部から蓋体３２側へ突出する係合壁１２と、蓋体３２の端部から基台３１側へ突出する対向壁１３とが互いに対向することで形成されている。すなわち、係合壁１２と対向壁１３との隙間が挿入口１１を形成しており、この挿入口１１からシート状の忌避剤シート１０が第１収容室１内へ挿入される。両壁１２，１３の中央には、基台３１及び蓋体３２に進入する切り欠き１４，１５が対向して形成されており、挿入口１１から挿入される忌避剤シート１０を挿入口１１からさらに内側に押し込むことができる。両切り欠き部１４，１５によって係合壁１２と対向壁１３は、それぞれ２つの壁に分離されている。また、係合壁１２の上端部には、進入方向に向かう係止片１２１が取り付けられており、この係止片１２１によって後述するように、忌避剤シート１０の抜け止めとしての役割を果たす。
【００２１】
図２及び図３に示すように、基台３１には、係合壁１２の近傍から忌避剤シート１０の進入方向へ延びる２本の第１リブ（第１挟持部材）１６が平行に形成されている。図２に示すように、第１リブ１６は、挿入口１１の近傍の基端部では、係合壁１２よりも高さが低くなっており、挿入方向に向かって基台３１からの高さが高くなるように傾斜している。また、基台３１において、第１リブ１６を挟んで幅方向の端部には、板状に形成され、忌避剤シート１０の幅方向の動きを規制する一対の規制部材１７が配置されている。
【００２２】
一方、蓋体３２には複数の開口（放出口）３２１が形成されており、この開口３２１から忌避剤シート１０の薬剤成分が放出するようになっている。また、蓋体３２の下面には、第１リブ１６と対向する位置に一対の第２リブ（第２挟持部材）１８が進入方向に沿って形成されている。図３に示すように、第２リブ１８は、側面視で三角形状に形成されており、挿入口１１側の辺１８１が挿入口１１にいくにしたがって第１リブ１６から離れる方向に傾斜し、第１リブ１６との組み合わせにより、挿入口１１側に広がるような形態をなしている。一方、第２リブ１８の第２収容室２側の辺１８２は、第１リブ１６と平行に延びており、第１リブ１６との間に忌避剤シート１０を挟持するための挟持通路１９を形成している。また、挟持通路１９における挿入口側の端部、つまり第２リブ１８の頂部１８３と第１リブ１６が対向する位置は、係合壁１２の高さよりも高くなっている（高さの差ｈ）。
【００２３】
次に、第２収容室２について説明する。図４に示すように、第２収容室２に収容される芳香剤袋２０は、着色された芳香液を収容する第１袋材２０１と、この第１袋材２０１を収容する第２袋材２０２とで構成されている。第１袋材２０１は、外部から圧力を加えられることにより、破れて内部の芳香液が排出されるようになっている。一方、第２袋材２０２は、ガス透過性の材料で形成されており、芳香液の芳香成分が外部に揮散するようになっている。両袋材２０１，２０２は透明になっており、外部から芳香液が視認できるようになっている。芳香液は、揮発性香料など、公知のものを用いることができる。
【００２４】
続いて、第２収容室２の構造について説明する。第２収容室２の基台３１には、挿入口１１とは反対側の端部に、板状の規制板２３が取り付けられている。そして、上述した芳香剤袋２０は、仕切り板３４と規制板２３との間に配置されるようになっている。また、仕切り板３４と規制板２３との間には、円形の２つのリブ、つまり第１円形リブ２１と、その中に同心状に配置される第２円形リブ２２とが配置されている。一方、第２収容室２の蓋体３２には、複数の開口（放出口）３２２が形成されており、これらの開口３２２から芳香成分が揮散するようになっている。また、蓋体３２の中央に形成された開口３２３には、円形の押圧部材２４が配置されており、この押圧部材２４の端部に取り付けられ弾性変形可能な支持片２５が開口３２３の縁部に連結されている。これにより、押圧部材２４は、支持片２５の弾性変形により基台３１側に向けて押し込み可能となっている。また、押圧部材２４は、その周縁部が、上述した第１円形リブ２１と第２円形リブ２２の間に位置するように配置されている。
【００２５】
次に、上記薬剤容器の使用方法について、図５及び図６も参照しつつ説明する。図５及び図６は薬剤容器の使用方法を示す図である。まず、図３のように基台３１と蓋体３２とを展開した状態で、第２収容室２の基台３１に芳香剤袋２０を配置する。この状態からヒンジ３３を折り畳んで、図２に示すように、基台３１と蓋体３２とを嵌め合わせる。続いて、図５に示すように、第１収容室１の挿入口１１から忌避剤シート１０を挿入する。忌避剤シート１０を指で押し込むと、図６（ａ）に示すように、忌避剤シート１０は第１リブ１６によって案内されながら、その傾斜を昇っていく。そして、挟持通路１９に達し、さらに押し込まれると、図６（ｂ）に示すように、忌避剤シート１０は、挟持通路１９に進入することで、下方にやや湾曲した状態となる。これは、挟持通路１９が形成する仮想平面Ｘ（図２参照）の延長上にある係合壁１２が、この仮想平面Ｘと交差して上方に延びているからである。すなわち、忌避剤シート１０の仕切り板３４側の端部は挟持通路１９で挟まれつつ、挿入口１１側の端部は係合壁１２によって押し上げられていることになる。この状態から指を切り欠き部１４，１５の中に入れるように忌避剤シート１０をさらに押し込むと、図６（ｃ）に示すように、忌避剤シート１０の挿入口１１側の端部が係合壁１２を乗り越える。これにより、忌避剤シート１０の湾曲が元に戻り、仮想平面Ｘに沿って延びた状態になる。そして、指を離して忌避剤シート１０が第１リブの傾斜を下方に滑ると、図６（ｄ）に示すように、忌避剤シート１０の挿入口１１側の端部は、係合壁１２の基端部付近に配置される。その結果、係止片１２１が抜け止めになり、忌避剤シート１０の端部が係合壁１２を乗り越えるのを防止する。こうして、忌避剤シート１０が第１収容室１に設置される。一方、仕切り板３４は、挟持通路１９の端部を塞ぐような高さに形成されているため、忌避剤シート１０の抜け止めになっている。
【００２６】
一方、第２収容室２では、指により、押圧部材２４を押し込むことで、芳香剤袋２０が押圧部材２４と両円形リブ２１，２２によって挟まれる。これにより、芳香剤袋２０の第１袋材２０１が破れ、第２袋材２０２の中に流入する。こうして、芳香成分が第２袋材２０２から外部に揮散するようになる。以上の作業の後、容器本体３を所望の場所に設置すれば、忌避剤シート１０及び芳香剤袋２０の薬剤成分が揮散され、防虫殺虫効果を得られるほか、芳香効果も得ることができる。そして、殺虫防虫効果がなくなり、忌避剤シート１０を交換する場合には、挿入口１１の切り欠き部１４，１５から忌避剤シート１０をつまみ、外部に引っ張り出す。そして、新たな忌避剤シート１０を挿入口１１から挿入して両リブ１６，１８の間に配置する。
【００２７】
以上のように、本実施形態によれば、忌避剤シート１０を挿入可能な挿入口１１と、忌避剤シート１０を挟持する第１及び第２リブ１６，１８を備えているため、忌避剤シート１０を挿入口１１から挿入して両リブ１６，１８の間の挟持通路１９まで押し込むだけで、両リブ１６，１８により、忌避剤シート１０を保持することができる。したがって、忌避剤シート１０の装着を容易に行うことができる。また、挿入口１１から忌避剤シート１０を引っ張り出すだけで、容器本体３から忌避剤シート１０を取り出すことができるため、交換も容易に行うことができる、特に、挟持通路１９が形成する仮想平面Ｘと交差するように係合壁１２が形成されているため、挿入後に両リブ１６，１８によって挟持されている忌避剤シート１０の端部は、係合壁１２よりも低い位置に配置される。そのため、係合壁１２が抜け止めになって、挿入口１１から抜け出すのが防止される。
【００２８】
以上、本発明の一実施形態について説明したが、本発明はこれに限定されるものではなく、その趣旨を逸脱しない限りにおいて種々の変更が可能である。例えば、上記実施形態では、２対のリブ１６，１８で忌避剤シート１０を挟持しているが、リブの数は特には限定されない。但し、安定的に忌避剤シート１０を挟持するためには、２つ以上のリブを設けることが好ましい。また、容器本体３を樹脂で形成した場合、薬剤の種類によっては樹脂が侵されて、容器本体３が撓るおそれがあるが、リブ１６，１８を容器本体３と一体的に形成しておくと、撓りを防止することができる。また、上記実施形態では、第１及び第２リブ１６，１８によって忌避剤シート１０を挟持しているが、忌避剤シート１０の挟持はリブ以外でもよく、例えば、一対の平面によって挟持してもよい。この平面の形状は特には限定されず、例えば連続した平面でなくてもよい。要するに、忌避剤シート１０を挟持できる限りは、どのような形態でもよい。
【００２９】
上記実施形態では、第１リブ１６は、忌避剤シート１０を挟持するだけでなく、忌避剤シート１０を挟持通路１９まで案内するガイド部材としての役割を果たすが、ガイド部材を第１リブ１６と分離して、別個に設けることもできる。また、挟持通路１９の高さを、忌避剤シート１０の厚さよりも小さくすることもでき、こうすることで、忌避剤シート１０を挟持通路１９に圧入して挟持通路１９に固定することもできる。上記実施形態では、切り欠き部１４，１５によって係合壁１２と対向壁１３とがそれぞれ分離されているが、切り欠き部１４，１５は各壁の高さ全体に亘ってではなく、指を挿入可能に、高さ方向の一部に形成することもできる。また、係合壁１２または対向壁１３の一方のみに切り欠き部を形成することもでき、この場合、高さ方向の一部に形成することもできる。また、対向壁１３は、必ずしも高さは要求されず、蓋体３２の一部として係合壁１２に対向する部分が形成されていればよい。
【００３０】
また、第１収容室１に配置されるのが芳香液を含浸した芳香剤シートでもよい。また、上記実施形態では、第２収容室２に芳香剤袋２０を配置できるようにしているが、第１収容室１と同様の構成を第２収容室に設けることもできる。これにより、２つの薬剤シート（例えば、異なる殺虫成分を含浸させた２つの忌避剤シート又は異なる芳香液を含浸させた２つの芳香剤シート）を配置できるようになる。また、第１収容室のみで容器本体を構成することもできる。
【符号の説明】
【００３１】
１０  忌避剤シート（薬剤シート）
１１  挿入口
１２  係合壁
１２１  係止片
１３  対向壁
１４，１５  切り欠き部
１６  第１リブ（第１挟持部材）
１８  第２リブ（第２挟持部材）
１９  挟持通路
２  第２収容室（収容部）
３  容器本体
３２１  開口（放出口）
【図１】
0005789429.tif 000002
【図２】
0005789429.tif 000003
【図３】
0005789429.tif 000004
【図４】
0005789429.tif 000005
【図５】
0005789429.tif 000006
【図６】
0005789429.tif 000007